(57)【特許請求の範囲】
【請求項１】
互いに対向する固定側板と移動側板との間に被収納物品を収納するとともに、該移動側板の移動により収納幅を調整できるようにしたマガジンラックであって、該マガジンラックは、天板と底板とを着脱可能に連結する支柱と、該天板下面および底板上面のそれぞれに平行に対向配設され、前記移動側板の移動方向に沿って延在する各一対のガイドレールと、該各ガイドレールに支承されるとともに前記移動側板に連結されて該移動側板と一体的に移動可能とされた天板側移動側板保持部材および底板側移動側板保持部材と、天板側移動側板保持部材を同一方向に同期移動させる天板側同期移動機構部と、底板側移動側板保持部材を同一方向に同期移動させる底板側同期移動機構部と、天板側同期移動機構部と底板側同期移動機構部とを連結し、天板側移動側板保持部材と底板側移動側板保持部材とを同一方向に同期移動させる上下同期移動機構部とからなり、天板側同期移動機構部および底板側同期移動機構部は略コ字状に巻回された無限軌道の索状体を有し、該索状体に移動側板保持部材を接続することにより移動側板保持部材を同一方向に同期移動させるように構成したこと、及び互いに対向する固定側板と移動側板とを２組有するとともに、天板側移動側板保持部材、底板側移動側板保持部材、天板側同期移動機構部、底板側同期移動機構部、および上下同期移動機構部を、各２組設けることを特徴とする収納幅調整式マガジンラック。
【請求項２】
天板側同期移動機構部および底板側同期移動機構部は、各一対のガイドレールの一端側近傍に設けられた折返し用プーリーと、該ガイドレールの他端側近傍に設けられた外側プーリーおよび内側プーリーと、一のガイドレールの折返し用プーリー、一のガイドレールの外側プーリー、他のガイドレールの外側プーリー、他のガイドレールの折返し用プーリー、他のガイドレールの内側プーリー、一のガイドレールの内側プーリー、一のガイドレールの折返し用プーリーの順に略コ字状に巻回されたワイヤーとからなり、一のガイドレールに支承された移動側板保持部材を外周側のワイヤーと接続したときには他のガイドレールに支承された移動側板保持部材を内周側のワイヤーと接続し、一のガイドレールに支承された移動側板保持部材を内周側のワイヤーと接続したときには他のガイドレールに支承された移動側板保持部材を外周側のワイヤーと接続することにより移動側板保持部材を同一方向に同期移動させることを特徴とする請求項１に記載の収納幅調整式マガジンラック。
【発明の詳細な説明】
【０００１】
【発明の属する技術分野】
本発明は、互いに対向する固定側板と移動側板との間にプリント基板等の板状物品や電装品を収容したシャーシ等の箱状体（以下、被収納物品という）を、一時的に収納して保管するために使用する収納幅を調整できるようにしたマガジンラックに関する。
【０００２】
【従来の技術】
従来より被収納物品の加工、組立等の作業を行う際にそれらを一時的に収納して保管するために使用するマガジンラックであって、固定された側板（以下、固定側板という）と移動可能な側板（以下、移動側板という）とを対向させて設け、該移動側板を移動させることによって前記被収納物品に合わせて収納幅を調整できるように構成されたマガジンラックが知られている。
例えば、実開平２−１３８４８９号にある如く、チェーン伝動機構、歯車機構等を用いて移動側板を移動させ、収納幅を調整できるようにしたマガジンラックが提案されている。
【０００３】
【発明が解決しようとする課題】
しかしながら、上記した従来のマガジンラックは、伝動機構にチェーン、歯車等を用いているので、固定側板と移動側板とを平行に組立てるのに手数がかかり、製造コストが高くなるうえに全体の重量がかさみ、運搬に不便であり、しかも調整に熟練を要するため、分解・再組立が煩わしいといった欠点があった。
【０００４】
本発明は、このような従来技術の欠点に鑑みてなされたものであり、簡単かつ迅速に収納幅の調整ができるとともに、製造コストを低く抑えることができ、しかも分解・再組立が容易で重量が軽く、運搬に便利なマガジンラックを提供することを意図するものである。
【０００５】
【課題を解決するための手段】
上記課題を解決するために、本発明に係る収納幅調整式マガジンラックは、互いに対向する固定側板と移動側板との間に被収納物品を収納するとともに、該移動側板の移動により収納幅を調整できるようにしたマガジンラックであって、該マガジンラックは、天板と底板とを着脱可能に連結する支柱と、該天板下面および底板上面のそれぞれに平行に対向配設され、前記移動側板の移動方向に沿って延在する各一対のガイドレールと、該各ガイドレールに支承されるとともに前記移動側板に連結されて該移動側板と一体的に移動可能とされた天板側移動側板保持部材および底板側移動側板保持部材と、天板側移動側板保持部材を同一方向に同期移動させる天板側同期移動機構部と、底板側移動側板保持部材を同一方向に同期移動させる底板側同期移動機構部と、天板側同期移動機構部と底板側同期移動機構部とを連結し、天板側移動側板保持部材と底板側移動側板保持部材とを同一方向に同期移動させる上下同期移動機構部とからなり、天板側同期移動機構部および底板側同期移動機構部は略コ字状に巻回された無限軌道の索状体を有し、該索状体に移動側板保持部材を接続することにより移動側板保持部材を同一方向に同期移動させるように構成したことを特徴とするものである。
【０００６】
また、本発明は、互いに対向する固定側板と移動側板とを２組有するとともに、天板側移動側板保持部材、底板側移動側板保持部材、天板側同期移動機構部、底板側同期移動機構部、および上下同期移動機構部を、各２組設けることを特徴とするものである。
【０００７】
また、本発明は、天板側同期移動機構部および底板側同期移動機構部は、各一対のガイドレールの一端側近傍に設けられた折返し用プーリーと、該ガイドレールの他端側近傍に設けられた外側プーリーおよび内側プーリーと、一のガイドレールの折返し用プーリー、一のガイドレールの外側プーリー、他のガイドレールの外側プーリー、他のガイドレールの折返し用プーリー、他のガイドレールの内側プーリー、一のガイドレールの内側プーリー、一のガイドレールの折返し用プーリーの順に略コ字状に巻回されたワイヤーとからなり、一のガイドレールに支承された移動側板保持部材を外周側のワイヤーと接続したときには他のガイドレールに支承された移動側板保持部材を内周側のワイヤーと接続し、一のガイドレールに支承された移動側板保持部材を内周側のワイヤーと接続したときには他のガイドレールに支承された移動側板保持部材を外周側のワイヤーと接続することにより移動側板保持部材を同一方向に同期移動させることを特徴とするものである。
【０００８】
【発明の実施の形態】
以下、本発明に係るマガジンラックの実施の形態として、互いに対向する固定側板と移動側板とを２組有するものの一例を、図面を参照しつつ詳細に説明する。図１は本発明マガジンラックの斜視図であり、全体構成の概略を示すものである。図中、1は天板２および底板３の四隅部に着脱可能に連結され、天板２、底板３とともに函体を構成する支柱、Ａ４、Ｂ４は取付ステー５を介して支柱１に固定された固定側板、Ａ６、Ｂ６は収納幅を調整するための移動側板である。７、７は天板２下面に平行に対向配設され、移動側板Ａ６、Ｂ６の移動方向に沿って延在する一対のガイドレール、同様に８、８は底板３上面に平行に対向配設され、移動側板Ａ６、Ｂ６の移動方向に沿って延在する一対のガイドレール、Ａ９、Ｂ９は後述する上下同期移動用シャフトである。
【０００９】
図２は支柱１と固定側板Ａ４、Ｂ４を取り外した一部断面図、図３は同期移動機構部の斜視図である。各図中、Ａ１０、Ａ１０はガイドレール７、７に支承された保持ブロック、Ａ１１、Ａ１１はガイドレール８、８に支承された保持ブロック、Ａ１２、Ａ１２は移動側板Ａ６を保持ブロックＡ１０およびＡ１１に連結するための移動側板保持具である。なお、移動側板Ｂ６も移動側板保持具に連結されるが、構成が同一であるので、図示は省略してある。
【００１０】
Ａ１３、Ａ１４は移動側板Ａ６移動用として天板２に設けられた折返し用プーリーで、折返し用プーリーＡ１３の支軸は上下同期移動用シャフトＡ９に同軸でかつ固定されており、折返し用プーリーＡ１４の支軸は上下同期移動用シャフトＢ９に同軸でかつフリーに支承されている。Ａ１５、Ａ１６は移動側板Ａ６移動用として天板２に設けられた外側プーリー、Ａ１７、Ａ１８は移動側板Ａ６移動用として天板２に設けられた内側プーリーである。Ａ１９は移動側板Ａ６移動用として天板２に設けられたワイヤーで、該ワイヤーＡ１９は折返し用プーリーＡ１３〜外側プーリーＡ１５〜外側プーリーＡ１６〜折返し用プーリーＡ１４〜内側プーリーＡ１８〜内側プーリーＡ１７〜折返し用プーリーＡ１３の順に略コ字状に巻回されている。また、該ワイヤーＡ１９にはプーリーＡ１３とプーリーＡ１５との間およびプーリーＡ１４とプーリーＡ１８との間において保持ブロックＡ１０、Ａ１０が固着され、これにより保持ブロックＡ１０、Ａ１０はワイヤーＡ１９と一体で同一方向に移動できるようになっている。
ここにおいて、プーリーＡ１３乃至プーリーＡ１８およびワイヤーＡ１９が移動側板Ａ６の天板側同期移動機構部を構成している。
【００１１】
Ａ２０、Ａ２１は移動側板Ａ６移動用として底板３に設けられた折返し用プーリーで、折返し用プーリーＡ２０の支軸は上下同期移動用シャフトＡ９に同軸でかつ固定されており、折返し用プーリーＡ２１の支軸は上下同期移動用シャフトＢ９に同軸でかつフリーに支承されている。Ａ２２、Ａ２３は移動側板Ａ６移動用として底板３に設けられた外側プーリー、Ａ２４、Ａ２５は移動側板Ａ６移動用として底板３に設けられた内側プーリーである。Ａ２６は移動側板Ａ６移動用として底板３に設けられたワイヤーで、該ワイヤーＡ２６は折返し用プーリーＡ２０〜外側プーリーＡ２２〜外側プーリーＡ２３〜折返し用プーリーＡ２１〜内側プーリーＡ２５〜内側プーリーＡ２４〜折返し用プーリーＡ２０の順に略コ字状に巻回されている。また、該ワイヤーＡ２６にはプーリーＡ２０とプーリーＡ２２との間およびプーリーＡ２１とプーリーＡ２５との間において保持ブロックＡ１１、Ａ１１が固着され、これにより保持ブロックＡ１１、Ａ１１はワイヤーＡ２６と一体で同一方向に移動できるようになっている。
ここにおいて、プーリーＡ２０乃至プーリーＡ２５およびワイヤーＡ２６が移動側板Ａ６の底板側同期移動機構部を構成している。
【００１２】
また、折返し用プーリーＡ１３と折返し用プーリーＡ２０は各支軸が上下同期移動用シャフトＡ９に同軸でかつ固定されているので、ワイヤーＡ１９とワイヤーＡ２６とが同期移動し、結果として保持ブロックＡ１０、Ａ１０および保持ブロックＡ１１、Ａ１１の全てが同一方向に同期移動することになる。
ここにおいて、折返し用プーリーＡ１３、折返し用プーリーＡ２０および上下同期移動用シャフトＡ９が移動側板Ａ６の上下同期移動機構部を構成している。
【００１３】
図４は本発明マガジンラックの部分拡大断面図で、移動側板保持具と保持ブロックとの接続部を詳細に示している。なお、図４は折返し用プーリーＡ２０が設けられた側のガイドレール８に支承された保持ブロックＡ１１を含む部分の構成を説明するものであるが、他の保持ブロックＡ１０、Ａ１０、Ａ１１を含む部分の構成もワイヤーとの固着位置を除けば同一であるので、この図４を説明することで他の保持ブロックＡ１０、Ａ１０、Ａ１１を含む部分の説明は省略する。
図中、Ａ２７は移動側板Ａ６を固定する保持支柱で、該保持支柱Ａ２７に形成した溝部に保持軸Ａ２８を嵌合させ、ネジＡ２９により保持支柱Ａ２７と保持軸Ａ２８とを固定する。Ａ３０は保持軸Ａ２８に形成した穴部（図示せず）に嵌合された保持ピンで、ネジＡ３１により保持軸Ａ２８と保持ピンＡ３０とを固定する。また、該保持ピンＡ３０の先端部を位置固定ブロックＡ３２に形成した穴部に遊嵌させる。位置固定ブロックＡ３２はこれに形成されたネジ部をガイドレール８に支承された保持ブロックＡ１１に対して螺合させ、進退させることにより図５に示す如くネジ部先端をガイドレール８内面に当接または離間させて移動側板Ａ６を固定または移動可能とする。
【００１４】
保持ブロックＡ１１には透孔Ａ３３、Ａ３３が穿設されてワイヤーＡ２６がフリーに貫通するるとともにネジＡ３４、Ａ３４によりワイヤーＡ２６の外周側のみが保持ブロックＡ１１に固着される。このとき、他の保持ブロックＡ１０、Ａ１０、Ａ１１と協調して移動側板Ａ６が固定側板Ａ４と平行に対向するように調整を行いつつ、ワイヤーＡ２６の外周側を保持ブロックＡ１１に固着する。
【００１５】
上記構成のマガジンラックにおいて収納幅を調整するには、位置固定ブロックＡ３２をレンチ等の工具を用いて回動し、ネジ部先端をガイドレール８内面から離間させて移動側板Ａ６を任意の位置に移動させ、その後、位置固定ブロックＡ３２のネジ部先端をガイドレール８内面に当接させて移動側板Ａ６を固定すればよいので、移動側板Ａ６の移動によるマガジンラックの収納幅の調整を容易に行うことができる。
【００１６】
なお、移動側板Ｂ６に関連する構成および作用は、図２乃至図５で行った移動側板Ａ６に関する上記の説明と同様であるので説明は省略し、各図中に符号のみ示す。ここで、各符号の頭文字をＢとしたものが移動側板Ｂ６に関連する構成を示しており、頭文字に続く番号部は移動側板Ａ６に関連する構成と同一のものには同一の番号部を付してある。
【００１７】
以上、本発明マガジンラックの発明の形態の一例を述べたが、図６に示すように移動側板Ａ６、Ｂ６を移動側板保持具の両面に設け、被収納物品の収納数を増加させるよう構成することもできる。
【００１８】
【発明の効果】
本発明に係るマガジンラックは上記のように構成されるので、移動側板の同期移動が確実に行われ、簡単かつ迅速に収納幅の調整ができる。また、伝動機構にチェーン、歯車等を用いていないので、構造が簡素で製造コストを低く抑えることができるとともに分解・再組立が容易で、重量が軽く運搬に便利である。
【図面の簡単な説明】
【図１】  本発明マガジンラックの一実施形態の斜視図
【図２】  本発明マガジンラックの一実施形態の一部断面図
【図３】  本発明マガジンラックの一実施形態の同期移動部を示す斜視図
【図４】  本発明マガジンラックの一実施形態の部分拡大断面図
【図５】  本発明マガジンラックの一実施形態の保持ブロックの断面図
【図６】  本発明マガジンラックの他の実施形態の部分拡大断面図
【符号の説明】
１          支柱
２          天板
３          底板
Ａ４、Ｂ４  固定側板
５          取付ステー
Ａ６、Ｂ６  移動側板
７、８      ガイドレール
Ａ９、Ｂ９  上下同期移動用シャフト
Ａ１０、Ａ１１、Ｂ１０、Ｂ１１  保持ブロック
Ａ１２      移動側板保持具
Ａ１３、Ａ１４、Ｂ１３、Ｂ１４  折返し用プーリー
Ａ１５、Ａ１６、Ｂ１５、Ｂ１６  外側プーリー
Ａ１７、Ａ１８、Ｂ１７、Ｂ１８  内側プーリー
Ａ１９、Ｂ１９                  ワイヤー
Ａ２０、Ａ２１、Ｂ２０、Ｂ２１  折返し用プーリー
Ａ２２、Ａ２３、Ｂ２２、Ｂ２３  外側プーリー
Ａ２４、Ａ２５、Ｂ２４、Ｂ２５  内側プーリー
Ａ２６、Ｂ２６  ワイヤー
Ａ２７          保持支柱
Ａ２８          保持軸
Ａ２９          ネジ
Ａ３０          保持ピン
Ａ３１          ネジ
Ａ３２          位置固定ブロック
Ａ３３、Ｂ３３  透孔
Ａ３４          ネジ
【図１】
0004674680.tif 000002
【図２】
0004674680.tif 000003
【図３】
0004674680.tif 000004
【図４】
0004674680.tif 000005
【図５】
0004674680.tif 000006
【図６】
0004674680.tif 000007